(57)【特許請求の範囲】
【請求項１】
１つの電力変換装置に対してｎ個（ｎは２以上）の蓄電装置が並列で接続され、前記ｎ個の蓄電装置が全体として非常用に確保すべき最低残容量Ｐを特定する下限充電状態が定められた蓄電システムであって、
個々の蓄電装置の容量を計測するメンテナンスモードを有する制御部を備え、
前記制御部は、前記メンテナンスモードにおいて、
前記ｎ個の蓄電装置がそれぞれ満充電された状態から放電を開始し、
容量を計測する対象となる対象蓄電装置以外の（ｎ−１）個の蓄電装置の残容量として前記最低残容量Ｐ以上である残容量Ｐａを確保した状態で、前記対象蓄電装置以外の蓄電装置を解列し、前記対象蓄電装置の放電を完了させて前記対象蓄電装置の容量を計測する、蓄電システム。
【請求項２】
前記制御部は、容量計測済みの前記対象蓄電装置の残容量がＰａ／（ｎ−１）になるまで前記対象蓄電装置を充電した後、前記対象蓄電装置を解列し、容量が未計測の蓄電装置のうち、容量を計測する対象となる２番目の対象蓄電装置を接続し、前記２番目の対象蓄電装置の放電を完了させて前記２番目の対象蓄電装置の容量を計測するプロセスを実行する、請求項１に記載の蓄電システム。
【請求項３】
前記制御部はメンテナンスモードが終了したのち、残容量がＰａ／（ｎ−１）に揃った状態で前記ｎ個の蓄電装置を並列接続する、請求項１または２に記載の蓄電システム。
【請求項４】
前記制御部は、前記メンテナンスモードを開始後の経過時間が、前記メンテナンスモードを実行可能な許容時間を超過したとき、前記蓄電装置の容量を計測するプロセスを停止する請求項１乃至３のいずれか１項に記載の蓄電システム。
【請求項５】
前記制御部は、前記蓄電装置の温度が所定温度未満である場合に、前記蓄電装置の容量を計測するプロセスを停止する請求項１乃至４のいずれか１項に記載の蓄電システム。
【請求項６】
前記制御部は、前回のメンテナンスモード実行時に容量が未計測の蓄電装置がある場合に、次回のメンテナンスモード実行時において、当該蓄電装置の容量の計測を優先的に実行する請求項４または５に記載の蓄電システム。
【請求項７】
１つの電力変換装置に対してｎ個（ｎは２以上）の蓄電装置が並列で接続され、前記ｎ個の蓄電装置が全体として非常用に確保すべき最低残容量Ｐを特定する下限充電状態が定められた蓄電システムで用いる管理方法であって、
個々の蓄電装置の容量を計測するメンテナンスモードにおいて、
前記ｎ個の蓄電装置がそれぞれ満充電された状態から放電を開始するステップと、
容量を計測する対象となる対象蓄電装置以外の（ｎ−１）個の蓄電装置の残容量として前記最低残容量Ｐ以上である残容量Ｐａを確保した状態で、前記対象蓄電装置以外の蓄電装置を解列し、前記対象蓄電装置の放電を完了させて前記対象蓄電装置の容量を計測するステップと、
を備える、管理方法。
【発明の詳細な説明】
【技術分野】
【０００１】
本開示は、蓄電システム及び管理方法に関する。
【背景技術】
【０００２】
従来、１つの電力変換装置（ＰＣＳ；Ｐｏｗｅｒ  Ｃｏｎｄｉｔｉｏｎｉｎｇ  Ｓｙｓｔｅｍ）に対して２以上の蓄電装置が並列で接続された蓄電システムが知られている。このような蓄電システムにおいて、通常の運転状態とは別に設けられるメンテナンスモード（容量測定モード）において蓄電装置の容量を測定する動作が実行される場合がある（特許文献１参照）。
【先行技術文献】
【特許文献】
【０００３】
【特許文献１】特開２０１９−１５８３９７号公報
【発明の概要】
【発明が解決しようとする課題】
【０００４】
本開示のある態様は、１つの電力変換装置に対してｎ個（ｎは２以上）の蓄電装置が並列で接続され、前記ｎ個の蓄電装置が全体として非常用に確保すべき最低残容量Ｐを特定する下限充電状態が定められた蓄電システムであって、個々の蓄電装置の容量を計測するメンテナンスモードを有する制御部を備え、前記制御部は、前記メンテナンスモードにおいて、前記ｎ個の蓄電装置がそれぞれ満充電された状態から放電を開始し、容量を計測する対象となる対象蓄電装置以外の（ｎ−１）個の蓄電装置の残容量として前記最低残容量Ｐ以上である残容量Ｐａを確保した状態で、前記対象蓄電装置以外の蓄電装置を解列し、前記対象蓄電装置の放電を完了させて前記対象蓄電装置の容量を計測する。【０００５】
本開示の他の態様は、１つの電力変換装置に対してｎ個（ｎは２以上）の蓄電装置が並列で接続され、前記ｎ個の蓄電装置が全体として非常用に確保すべき最低残容量Ｐを特定する下限充電状態が定められた蓄電システムで用いる管理方法であって、個々の蓄電装置の容量を計測するメンテナンスモードにおいて、前記ｎ個の蓄電装置がそれぞれ満充電された状態から放電を開始するステップと、容量を計測する対象となる対象蓄電装置以外の（ｎ−１）個の蓄電装置の残容量として前記最低残容量Ｐ以上である残容量Ｐａを確保した状態で、前記対象蓄電装置以外の蓄電装置を解列し、前記対象蓄電装置の放電を完了させて前記対象蓄電装置の容量を計測するステップと、を備える。
【図面の簡単な説明】
【０００６】
【図１】図１は、実施形態に係る蓄電システムを示す図である。
【図２】図２は、実施形態に係る蓄電装置の容量を説明するための図である。
【図３】図３は、実施形態に係る２以上の蓄電装置の充電及び放電を説明するための図である。
【図４】図４は、蓄電装置が３個の場合における容量の推移を示す模式図である。
【図５】図５は、蓄電装置が３個の場合における容量の推移を示す模式図である。
【図６】図６は、蓄電装置が２個の場合における制御部の動作を示すフローチャートである。
【図７】図７は、蓄電装置が２個の場合における制御部の動作を示すフローチャートである。
【発明を実施するための形態】
【０００７】
以下において、実施形態について図面を参照しながら説明する。なお、以下の図面の記載において、同一又は類似の部分には、同一又は類似の符号を付している。但し、図面は模式的なものである。
【０００８】
（蓄電システム）
以下において、実施形態に係る蓄電システムについて図１を参照しながら説明する。図１に示すように、蓄電システム１００は、２以上の蓄電装置１１０と、２以上のセンサ１１１と、２以上の切替部１２０と、ＰＣＳ（Ｐｏｗｅｒ  Ｃｏｎｄｉｔｉｏｎｉｎｇ  Ｓｙｓｔｅｍ）１３０と、センサ１３１と、制御部２１０と、管理部２２０と、出力部２３０と、記憶部２４０と、を有する。
【０００９】
蓄電装置１１０は、電力を蓄積する装置である。具体的には、蓄電装置１１０は、電力を蓄積する２以上の蓄電セルを有する。２以上の蓄電セルは、互いに直列で接続されるセルストリングを構成する。蓄電装置１１０は、互いに並列で接続される２以上のセルストリングを有していてもよい。蓄電装置１１０は、２以上の蓄電セルのそれぞれに接続された放電抵抗を有しており、蓄電セルから放電抵抗への放電によって、２以上の蓄電セルの電圧値のバラツキを抑制する機能（以下、セルバランス機能）を有していてもよい。蓄電セルの電圧値は、蓄電装置１１０の充電又は放電を繰り返すことによって均一化される。
【００１０】
図１では、蓄電装置１１０として、蓄電装置１１０Ａ〜蓄電装置１１０Ｃが例示されている。２以上の蓄電装置１１０は、１つのＰＣＳ１３０に対して並列で接続される。
【００１１】
センサ１１１は、蓄電装置１１０の出力端に設けられており、蓄電装置１１０の状態を検出する。蓄電装置１１０の状態は、蓄電装置１１０の出力端の電圧値を含む。蓄電装置１１０の状態は、蓄電装置１１０から放電される電力の電流値を含んでもよく、蓄電装置１１０に充電される電力の電流値を含んでもよい。
【００１２】
ここで、“出力端”という用語は、蓄電装置１１０の放電における電力の出力端を意味する。従って、“出力端”とは、蓄電装置１１０の充電における電力の入力端と同義である。以下において、説明の便宜から、蓄電装置１１０の放電において、電力が出力される側を“出力端”と称し、電力が入力される側を“入力端”と称する。
【００１３】
図１では、センサ１１１として、センサ１１１Ａ〜センサ１１１Ｃが例示されている。センサ１１１Ａは、蓄電装置１１０Ａの状態を検出する。同様に、センサ１１１Ｂは、蓄電装置１１０Ｂの状態を検出し、センサ１１１Ｃは、蓄電装置１１０Ｃの状態を検出する。
【００１４】
切替部１２０は、蓄電装置１１０とＰＣＳ１３０との間の電気的な接続を切り替える。具体的には、切替部１２０は、蓄電装置１１０とＰＣＳ１３０とを接続する電力線の接続又は切断を切り替える。以下においては、蓄電装置１１０とＰＣＳ１３０とが電気的に接続された状態を“ＯＮ”と称し、蓄電装置１１０とＰＣＳ１３０とが電気的に切断された状態を“ＯＦＦ”と称する。特に限定されるものではないが、切替部１２０は、機械的なリレー機構であってもよい。切替部１２０は、スイッチング素子によって構成されるリレー回路であってもよい。
【００１５】
図１では、切替部１２０として、切替部１２０Ａ〜切替部１２０Ｃが例示されている。切替部１２０Ａは、蓄電装置１１０ＡのＯＮ／ＯＦＦを切り替える。同様に、切替部１２０Ｂは、蓄電装置１１０ＢのＯＮ／ＯＦＦを切り替え、切替部１２０Ｃは、蓄電装置１１０ＣのＯＮ／ＯＦＦを切り替える。
【００１６】
ＰＣＳ１３０は、蓄電装置１１０から放電される直流電力を交流電力に変換し、蓄電装置１１０に充電される直流電力を交流電力に変換する電力変換装置である。ＰＣＳ１３０の入力端は、電力線を介して蓄電装置１１０と接続される。ＰＣＳ１３０の出力端は、電力系統に電力線を介して接続される。ＰＣＳ１３０の出力端は、蓄電システム１００を含む施設に設けられる装置（他の分散電源又は負荷など）に電力線を介して接続されてもよい。ここで、ＰＣＳ１３０は、蓄電システム１００が電力系統から解列された状態（以下、自立運転状態）において、施設に設けられる装置とＰＣＳ１３０とを接続する端子（自立端子）を有してもよい。
【００１７】
センサ１３１は、ＰＣＳ１３０の出力端に設けられており、ＰＣＳ１３０の状態を検出する。ＰＣＳ１３０の状態は、ＰＣＳ１３０の出力端の電圧値を含む。ＰＣＳ１３０の状態は、蓄電装置１１０の放電においてＰＣＳ１３０から出力される電力の電流値を含んでもよく、蓄電装置１１０の充電においてＰＣＳ１３０に入力される電力の電流値を含んでもよい。
【００１８】
制御部２１０は、少なくとも１つのプロセッサを含んでもよい。少なくとも１つのプロセッサは、単一の集積回路（ＩＣ）によって構成されてもよく、通信可能に接続された複数の回路（集積回路及び又はディスクリート回路（ｄｉｓｃｒｅｔｅ  ｃｉｒｃｕｉｔｓ）など）によって構成されてもよい。
【００１９】
制御部２１０は、蓄電システム１００に設けられる構成と信号線を介して接続される。ここでは、制御部２１０は、センサ１１１、ＰＣＳ１３０及びセンサ１３１と信号線を介して接続される。制御部２１０は、ＰＣＳ１３０の制御によって蓄電装置１１０の充電又は放電を制御する。制御部２１０は、センサ１１１から蓄電装置１１０の状態を取得する。制御部２１０は、センサ１３１からＰＣＳ１３０の状態を取得する。
【００２０】
管理部２２０は、蓄電システム１００に関する情報を管理する。例えば、管理部２２０は、不揮発性メモリなどのメモリ又は／及びＨＤＤ（Ｈａｒｄ  ｄｉｓｃ  ｄｒｉｖｅ）などの記憶媒体によって構成される。具体的には、管理部２２０は、２以上の蓄電装置１１０のそれぞれに対応する２以上の個別充電状態（以下、個別ＳＯＣ（ＳＯＣ；Ｓｔａｔｅ  ｏｆ  Ｃｈａｒｇｅ））を特定する情報を管理する。管理部２２０は、蓄電システム１００の全体充電状態（以下、全体ＳＯＣ）を特定する情報を管理する。なお、ＳＯＣの詳細については後述する（図２を参照）。
【００２１】
出力部２３０は、管理部２２０によって管理される情報を出力する。具体的には、出力部２３０は、全体ＳＯＣを特定する情報を出力する。出力部２３０は、個別ＳＯＣを特定する情報を出力してもよい。特に限定されるものではないが、出力の形態は、表示であってもよく、音声であってもよい。例えば、出力部２３０は、ディスプレイによって構成されてもよく、スピーカによって構成されてもよい。或いは、出力部２３０は、通信モジュールによって構成されており、管理部２２０によって管理される情報を外部装置に送信してもよい。通信モジュールは、ＩＥＥＥ８０２．１１ａ／ｂ／ｇ／ｎ、ＺｉｇＢｅｅ、Ｗｉ−ＳＵＮ、ＬＴＥなどの規格に準拠する無線通信モジュールであってもよく、ＩＥＥＥ８０２．３などの規格に準拠する有線通信モジュールであってもよい。外部装置は、パーソナルコンピュータ、スマートフォンなどのユーザ端末であってよく、蓄電システム１００を含む施設に設けられるＥＭＳ（Ｅｎｅｒｇｙ  Ｍａｎａｇｅｍｅｎｔ  Ｓｙｓｔｅｍ）であってもよい。
【００２２】
記憶部２４０は、管理部２２０によって管理される情報をログとして記憶する。記憶部２４０は、不揮発性メモリなどのメモリ又は／及びＨＤＤ（Ｈａｒｄ  ｄｉｓｃ  ｄｒｉｖｅ）などの記憶媒体によって構成される。記憶部２４０は、全体ＳＯＣの推移をログとして記憶する。記憶部２４０は、個別ＳＯＣの推移をログとして記憶してもよい。記憶部２４０は、ＰＣＳ１３０の運転状態（充電、放電、待機など）の推移をログとして記憶してもよい。
【００２３】
（蓄電装置の容量）
以下において、実施形態に係る蓄電装置１１０の容量について図２を参照しながら説明する。
【００２４】
図２に示すように、蓄電装置１１０の容量は、蓄電装置１１０の劣化抑制等の観点から、蓄電装置１１０の使用が制限される使用不可容量を含む。閾値ＴＨ１は、使用不可容量（上限側）を特定する閾値であり、閾値ＴＨ２は、使用不可容量（下限側）を特定する閾値である。蓄電装置１１０の容量は、災害などの緊急事態に対応するために非常容量（ＢＣＰ（Ｂｕｓｉｎｅｓｓ  Ｃｏｎｔｉｎｕｉｔｙ  Ｐｌａｎ）容量）を含む。閾値ＴＨ３は、ＢＣＰ容量を特定する閾値である。
【００２５】
以下においては、蓄電装置１１０の全体容量は、使用不可容量を除いた容量であるものとして説明を進める。緊急事態以外の平常状態では、ＢＣＰ容量が用いられないため、蓄電装置１１０から放電可能な容量（放電可能容量）は、蓄電装置１１０に蓄積された電力（蓄電残量）からＢＣＰ容量を除いた値である。蓄電装置１１０に充電可能な容量（充電可能容量）は、全体容量から蓄電残量を除いた値である。なお、蓄電残量及び使用不可容量（下限側）の合計については、便宜的に蓄電容量と称する。
【００２６】
蓄電装置１１０のＳＯＣは、ＴＨ１とＴＨ２との間の容量（すなわち、蓄電装置１１０の全体容量）を基準として定められてもよい。具体的には、蓄電装置１１０のＳＯＣは、蓄電装置１１０の全体容量に対する蓄電装置１１０の蓄電容量の比率で表される。上限ＳＯＣは、上述した閾値ＴＨ１によって特定される。下限ＳＯＣは、閾値ＴＨ３によって特定される。
【００２７】
このようなケースにおいて、ＳＯＣの測定方法は、ＳＯＣとＯＣＶ(Ｏｐｅｎ  Ｃｉｒｃｕｉｔ  Ｖｏｌｔａｇｅ)との関係を表す曲線（以下、ＳＯＣ−ＯＣＶ曲線）を用いた方法であってもよい。このような方法では、蓄電装置１１０の出力端の電圧値の検出によってＳＯＣを測定することができる。但し、ＳＯＣの測定方法は、これに限定されるものではなく、蓄電装置１１０の充電又は放電に伴う電流の積算を用いた方法であってもよい。
【００２８】
さらに、蓄電装置１１０の定期的なメンテナンスによって、全体容量の再測定が行われる。具体的には、満充電状態から所定放電状態まで蓄電装置１１０の放電を行うことによっての再測定が行われる。所定放電状態とは、ＢＣＰ容量の放電が行われた状態である。但し、使用不可容量（下限側）の放電までは行われない。ＳＯＣ−ＯＣＶ曲線を用いてＳＯＣが測定される場合には、このようなメンテナンスによって、上限ＳＯＣ及び下限ＳＯＣに相当する電圧値が再定義される。メンテナンス時のより詳細な動作については後述する。
【００２９】
図２では、１つの蓄電装置１１０の容量及びＳＯＣについて説明したが、互いに並列で接続された２以上の蓄電装置１１０の容量及びＳＯＣについても同様である。従って、その詳細については省略する。
【００３０】
（充電及び放電）
以下において、実施形態に係る２以上の蓄電装置１１０の充電及び放電について図３を参照しながら説明する。ここでは、蓄電装置１１０Ａ〜蓄電装置１１０Ｃの全てがＯＮである前提で説明する。
【００３１】
図３では、蓄電装置１１０Ｃの蓄電残量に相当する電圧値が最大電圧値（ＶＭＡＸ）であり、蓄電装置１１０Ｂの蓄電残量に相当する電圧値が最小電圧値（ＶＭＩＮ）であり、蓄電装置１１０Ａの蓄電残量に相当する電圧値がＶＭＡＸとＶＭＩＮとの間の中間電圧値（ＶＭＩＤ）であるケースを例示する。
【００３２】
このようなケースにおいて、２以上の蓄電装置１１０の横流によって生じる蓄電装置１１０の劣化を抑制するために、ＶＭＡＸとＶＭＩＮとの差異（ＶＤＩＦ）が閾値（ＴＨＤＩＦ）である状態において、２以上の蓄電装置１１０の充電又は放電が行われる。
【００３３】
図３に示すように、２以上の蓄電装置１１０の充電又は放電によって、各蓄電装置１１０の電圧のバラツキ（上述したＶＤＩＦ）は縮小してもよい。但し、各蓄電装置１１０の内部抵抗のバラツキによってＶＤＩＦが拡大する可能性もある。さらに、各蓄電装置１１０の充電又は放電が行われずに時間が経過した場合には、自然放電などによってＶＤＩＦが拡大することも考えられる。
【００３４】
（メンテナンス時の管理）
上述したように、本実施形態の蓄電システム１００では、１つの電力変換装置（ＰＣＳ１３０）に対してｎ個（ｎは２以上）の蓄電装置１１０が並列で接続され、ｎ個の蓄電装置１１０が全体として非常用に確保すべき最低残容量Ｐ（総ＢＣＰ容量）を特定する下限充電状態が定められている。
【００３５】
蓄電システム１００において、制御部２１０は、個々の蓄電装置１１０の容量を計測するメンテナンスモードを有する。制御部２１０は、当該メンテナンスモードにおいて、ｎ個の蓄電装置１１０がそれぞれ満充電された状態から放電を開始し、容量を計測する対象となる対象蓄電装置以外の（ｎ−１）個の蓄電装置１１０の残容量として最低残容量Ｐ（ｋＷｈ）以上である残容量Ｐａを確保した状態で、対象蓄電装置以外の蓄電装置１１０を解列し、対象蓄電装置の放電を完了させて対象蓄電装置の容量を計測する。このように、本実施形態の蓄電システム１００では、メンテナンスモードではない通常運転状態において、ｎ個の蓄電装置１１０の残容量として最低残容量Ｐが確保されるが、メンテナンスモードにおいては、対象蓄電装置以外の（ｎ−１）個の蓄電装置１１０の残容量として最低残容量Ｐ以上である残容量Ｐａが確保される。
【００３６】
さらに、制御部２１０は、容量計測済みの対象蓄電装置の残容量がＰａ／（ｎ−１）になるまで対象蓄電装置を充電した後、対象蓄電装置を解列し、容量が未計測の蓄電装置１１０のうち、容量を計測する対象となる２番目の対象蓄電装置を接続し、２番目の対象蓄電装置の放電を完了させて２番目の対象蓄電装置の容量を計測するプロセスを実行する。この後、Ｐａ／（ｎ−１）になるまで２番目の対象蓄電装置を充電する。
【００３７】
なお、各蓄電装置１１０の残容量については、各蓄電装置１１０の電圧を測定し、得られた電圧値、並びに上限ＳＯＣ及び下限ＳＯＣに相当する電圧値に基づいて算出することができる。
【００３８】
制御部２１０は、メンテナンスモードを開始後の経過時間が、メンテナンスモードを実行可能な許容時間を超過したとき、蓄電装置１１０の容量を計測するプロセスを停止してもよい。
【００３９】
また、制御部２１０は、蓄電装置１１０の温度が所定温度未満である場合に、当該蓄電装置１１０の容量を計測するプロセスを停止してもよい。具体的には、蓄電装置１１０にそれぞれ温度センサを設置し、温度センサで得られた温度を制御部２１０に入力する。制御部２１０は、所定温度未満の温度の蓄電装置１１０がある場合に、当該蓄電装置１１０の容量を計測するプロセスを停止する。
【００４０】
制御部２１０は、前回のメンテナンスモード実行時に容量が未計測の蓄電装置１１０がある場合に、次回のメンテナンスモード実行時において、当該蓄電装置１１０の容量の計測を優先的に実行してもよい。ここで、前回のメンテナンスモード実行時に容量が未計測の蓄電装置１１０がある場合とは、上述した動作により、前回のメンテナンスモードにおいて容量を計測するプロセスが停止された蓄電装置１１０がある場合を含む。この場合には、全ての蓄電装置１１０の容量を計測するプロセスが前回のメンテナンスモード実行時に一旦中断し、通常運転状態後の次回のメンテナンスモードにおいて再開される。
【００４１】
制御部２１０はメンテナンスモードが終了したのち、残容量がＰａ／（ｎ−１）に揃った状態でｎ個の蓄電装置１１０を並列接続する。
【００４２】
図４および図５は、ｎ＝３の場合の蓄電装置１１０の容量の推移を示す模式図である。図４および図５では、上述した残容量Ｐａが最低残容量Ｐであるケースを例示する。図４に示すように、３個の蓄電装置１１０がともに満充電（ＴＨ１）の状態から、蓄電装置１１０Ａ、蓄電装置１１０Ｂおよび蓄電装置１１０Ｃの放電を開始し、蓄電装置１１０Ｂおよび蓄電装置１１０Ｃで最低残容量Ｐを確保できる状態まで放電を継続する。このとき、蓄電装置１１０の容量はＰ／（ｎ−１）＝Ｐ／２となる。続いて、図１に示した切替部１２０Ｂおよび切替部１２０Ｃにより、それぞれ蓄電装置１１０Ｂおよび蓄電装置１１０Ｃを解列した（ＯＦＦにした）後、容量がＴＨ２になるまで蓄電装置１１０Ａを放電させる。以上の動作終了後、ＴＨ１−ＴＨ２を算出することにより、蓄電装置１１０Ａの全体容量が計測される。
【００４３】
次に、図５に示すように、蓄電装置１１０Ａを容量Ｐ／２まで充電した後、図１に示した切替部１２０Ａにより蓄電装置１１０Ａを解列し、切替部１２０Ｂにより蓄電装置１１０Ｂを接続し（ＯＮにし）、容量がＴＨ２になるまで２番目の対象蓄電装置となる蓄電装置１１０を放電する。以上の動作終了後、ＴＨ１−ＴＨ２を算出することにより、蓄電装置１１０Ｂの全体容量が計測される。蓄電装置１１０Ｂを容量Ｐ／２まで充電した後、蓄電装置１１０Ｃについても、蓄電装置１１０Ｂと同様な動作により、全体容量が計測された後、容量Ｐ／２まで充電される。
【００４４】
（管理方法）
以下において、実施形態に係る管理方法について図６および図７を参照しながら説明する。図６および図７では、蓄電装置が２個の場合（蓄電装置Ａ、蓄電装置Ｂとする）における制御部２１０の動作について説明する。
【００４５】
メンテナンスモードが開始されると、満充電（容量ＴＨ１）の蓄電装置Ａ、蓄電装置Ｂの放電が行われる（Ｓ１０）。
【００４６】
続いて、放電により蓄電装置Ｂの容量が残容量Ｐａに達したかが判定される（Ｓ２０）。蓄電装置Ｂの容量が残容量Ｐａに達していない場合には（Ｓ２０のｎｏ）、放電が継続される。蓄電装置Ｂの容量が残容量Ｐａに達している場合には（Ｓ２０のｙｅｓ）、リレーなどの切替部を用いて蓄電装置ＢをＯＦＦにする（Ｓ３０）。
【００４７】
続いて、蓄電装置Ａの放電が行われる（Ｓ４０）。放電により蓄電装置Ａの容量がＴＨ２に達したかが判定される（Ｓ５０）。蓄電装置Ａの容量がＴＨ２に達していない場合には（Ｓ５０のｎｏ）、放電が継続される。蓄電装置Ａの容量がＴＨ２に達している場合には（Ｓ５０のｙｅｓ）、蓄電装置Ａの容量が計測される（Ｓ６０）。
【００４８】
続いて、蓄電装置Ａの充電を開始し（Ｓ７０）、蓄電装置Ａの容量が残容量Ｐａに達したかが判定される（Ｓ８０）。蓄電装置Ａの容量が残容量Ｐａに達していない場合には（Ｓ８０のｎｏ）、放電が継続される。蓄電装置Ａの容量が残容量Ｐａに達している場合には（Ｓ８０のｙｅｓ）、リレーなどの切替部を用いて蓄電装置ＡをＯＦＦにし、蓄電装置ＢをＯＮにする（Ｓ９０）。
【００４９】
続いて、蓄電装置Ａにより残容量Ｐａを確保した状態で、蓄電装置Ｂの放電が行われる（Ｓ１００）。続いて、放電により蓄電装置Ｂの容量がＴＨ２に達したかが判定される（Ｓ１１０）。蓄電装置Ｂの容量がＴＨ２に達していない場合には（Ｓ１１０のｎｏ）、放電が継続される。蓄電装置Ｂの容量がＴＨ２に達している場合には（Ｓ１１０のｙｅｓ）、蓄電装置Ｂの容量が計測される（Ｓ１２０）。
【００５０】
続いて、蓄電装置Ｂの充電を開始し（Ｓ１３０）、蓄電装置Ｂの容量が残容量Ｐａに達したかが判定される（Ｓ１４０）。蓄電装置Ｂの容量が残容量Ｐａに達していない場合には（Ｓ１４０のｎｏ）、放電が継続される。蓄電装置Ｂの容量が残容量Ｐａに達している場合には（Ｓ１４０のｙｅｓ）、リレーなどの切替部を用いて蓄電装置ＡをＯＮにする（Ｓ１５０）。
【００５１】
（作用及び効果）
以上説明した蓄電システム１００によれば、メンテナンスモードにおいて、容量を測定する対象となる対象蓄電装置以外の蓄電装置により最低残容量Ｐ以上である残容量Ｐａを確保した状態で、対象蓄電装置の容量を下げる操作を行うことにより、最低残容量Ｐを確保しつつ対象蓄電装置の容量を測定することができ、非常時などの電力供給に対応することが可能になる。
【００５２】
また、メンテナンスモードが終了したのち、残容量がＰａ／（ｎ−１）に揃った状態でｎ個の蓄電装置を並列接続することにより、メンテナンスモード終了後に最低残容量Ｐを確保した状態で速やかに通常運転状態に移行することができる。
【００５３】
また、メンテナンスモードの経過時間が所定の条件を満たさない場合に蓄電装置の容量を計測するプロセスを停止することにより、決められた時間経過後に通常運転状態への移行を確実なものとすることができる。メンテナンスモードの蓄電装置の温度が所定の条件を満たさない場合に蓄電装置の容量を計測するプロセスを停止することにより、蓄電装置の容量の計測をより正確に行うことができる。この場合、前回のメンテナンスモードで計測が中断された蓄電装置の容量を次回のメンテナンスモードで優先的に計測することにより、容量が未計測の蓄電装置をなくし、各蓄電装置の容量を的確に把握することができる。
【００５４】
［その他の実施形態］
本開示は上述した実施形態によって説明したが、この開示の一部をなす論述及び図面は、この開示を限定するものであると理解すべきではない。この開示から当業者には様々な代替実施形態、実施例及び運用技術が明らかとなろう。
【００５５】
実施形態では特に触れていないが、制御部２１０、管理部２２０、出力部２３０及び記憶部２４０の少なくともいずれか１つは、ＰＣＳ１３０でもよく、蓄電システム１００を含む施設に設けられるＥＭＳに設けられてもよい。ＥＭＳは、クラウドサービスによって提供されてもよい。
【００５６】
実施形態では特に触れていないが、蓄電システム１００に設けられる信号線は、有線であってもよく、無線であってもよい。
【００５７】
実施形態では特に触れていないが、制御部２１０は、管理部２２０で管理される全体ＳＯＣに基づいて、蓄電システム１００の充電又は放電を制御してもよい。例えば、制御部２１０は、全体ＳＯＣが上限ＳＯＣに達した場合に、蓄電システム１００の充電を停止してもよい。同様に、制御部２１０は、全体ＳＯＣが下限ＳＯＣに達した場合に、蓄電システム１００の放電を停止してもよい。
【００５８】
蓄電装置の容量を計測するプロセスを停止する条件として、メンテナンスモード実行時の現在時刻が所定の時刻（たとえば、午前６時や日の出の時刻）になったときとしてもよい。
なお、日本国出願第２０１９−１９６４８１（２０１９年１０月２９日）の全内容が参照により本願明細書に組み込まれている。
【図１】
0006963698.tif 000002
【図２】
0006963698.tif 000003
【図３】
0006963698.tif 000004
【図４】
0006963698.tif 000005
【図５】
0006963698.tif 000006
【図６】
0006963698.tif 000007
【図７】
0006963698.tif 000008